(57)【要約】【課題】ネジを無理な力でねじ込む必要が無く、壁面とボックス開口面との平行度が出せ、更にはボックスの変形を防止できる壁埋め込み水栓を提供する。【解決手段】壁内に設置され壁面側が開口したボックスと、前記ボックス内に収納設置される水栓本体と、前記開口と水栓本体を覆い隠すカバーとを備え、前記ボックスの側面または上面のうち、少なくとも一つの面に、ボックスの奥行き方向に延びた長穴を形成し、前記長穴にボックス内側からネジを通し、前記ネジを壁内に設けられた間柱等にねじ込むことによってボックスを固定する壁埋め込み水栓において、前記ネジが通る長穴の断面形状がボックスの外側の溝幅が大きくなるように略凸形状としたことを特徴とする壁埋め込み水栓としたことである。【選択図】　図６
2004076309.tif 000002
【特許請求の範囲】
【請求項１】
壁内に設置され壁面側が開口したボックスと、
前記ボックス内に収納設置される水栓本体と、前記開口と水栓本体を覆い隠すカバーとを備え、前記ボックスの側面または上面のうち、少なくとも一つの面に、ボックスの奥行き方向に延びた長穴を形成し、
前記長穴にボックス内側からネジのネジ部を通し、前記ネジを壁内に設けられた間柱等にねじ込むことによってボックスを固定する壁埋め込み水栓において、
前記ネジのネジ部が通る長穴の断面形状がボックスの外側の溝幅が大きくなるように略凸形状としたことを特徴とする壁埋め込み水栓。
【請求項２】
壁裏に配置して水栓本体を収納するボックスであって、前記ボックスは、少なくとも側面、上面、背面から構成されており、前記側面または上面のうち、少なくとも一つの面に、ネジのネジ部が通る穴を形成し、かつ、この穴の断面形状がボックスの外側の溝幅が大きくなるように略凸形状としたことを特徴とする埋め込み水栓用ボックス。
【請求項３】
前記穴は、ボックスの奥行き方向に延びて形成されている長穴であることを特徴とする請求項２に記載の埋め込み水栓用ボックス。
【発明の詳細な説明】
【０００１】
【発明の属する技術分野】
本発明は、壁に埋め込まれて設置される壁埋め込み水栓および埋め込み水栓用ボックスに関する。
【０００２】
【従来の技術】
壁に埋め込まれて設置される壁埋め込み水栓の形態として、特開２００２−４３６２号公報の図９に開示されているものがある。本明細書では図１５に記している。これは、壁内にボックス９２６を固定し、そのボックス内部９２６ａに水栓本体９２２を収納することで、吐水口を有する水栓本体９２２の壁面への突出量を抑えるように構成している。
そして、この時、ボックス９２６はボックス側面又は上面に設けられた長穴９３０とネジ９３１を使って、壁内の間柱等に固定されるようになっている。
【０００３】
【発明が解決しようとする課題】
ボックス９２６を固定する場合、図１６に示すようにネジ９３１はボックス開口９３２側からねじ込むこととなり、ネジ９３１はボックス側面９３６に対して斜めにねじ込まれる。
この時、ボックス開口面９３３とボックス側面９３６は直角に成形されているので、ボックス開口面９３３と壁面との平行度を出して、さらに、壁面水栓本体９２２をボックス内部９２６ａに固定するため、ボックス開口面９３３を壁面９３４に対して平行になるように固定する必要がある。
その為、ボックス側面９３６を間柱９３５に隙間なく接触させてネジ９３１で固定する必要がある。
【０００４】
しかし、ネジ９３１をボックス開口面９３３から斜めにねじ込むことにより、間柱９３５のねじ込み部が盛り上がり易い。その為、ねじ込み部が盛り上がってしまうと、ボックス側面９３６と間柱９３５とを隙間なく接触させて固定させることができなくなってしまう。
逆に盛り上がりを無くす為に、ネジ９３１を強くねじ込むことは、ネジ頭のドライバー用十字穴が破損する原因となったり、又ボックス９２６を変形させる原因となり、容易に施工いうすることができないといった問題もあった。
【０００５】
そこで、本発明では上記の問題点を解決するため、ネジを無理な力でねじ込む必要が無く、また、万が一ねじ込み部が盛り上がったとしても、壁面とボックス開口面との平行度が出せ、更にはボックスの変形を防止できる壁埋め込み水栓を提供することを目的とする。
【０００６】
【課題を解決するための手段】
本発明の請求項１においては、壁内に設置され壁面側が開口したボックスと、前記ボックス内に収納設置される水栓本体と、前記開口と水栓本体を覆い隠すカバーとを備え、前記ボックスの側面または上面のうち、少なくとも一つの面に、ボックスの奥行き方向に延びた長穴を形成し、前記長穴にボックス内側からネジを通し、前記ネジを壁内に設けられた間柱等にねじ込むことによってボックスを固定する壁埋め込み水栓において、前記ネジが通る長穴の断面形状がボックスの外側の溝幅が大きくなるように略凸形状としたことを特徴とする壁埋め込み水栓としたことである。
【０００７】
これにより、ネジ斜めねじ込み時の間柱等の盛り上がり部を長穴断面でかわすことができ、結果としてネジを強くねじ込むことなく、ボックス側面又は上面を間柱等に隙間なく設置することができ、ボックスの変形を防止しながら、壁面に対して開口面を平行に設置することが出来る。
【０００８】
本発明の請求項２においては、壁裏に配置して水栓本体を収納するボックスであって、前記ボックスは、少なくとも側面、上面、背面から構成されており、前記側面または上面のうち、少なくとも一つの面に、ネジのネジ部が通る穴を形成し、かつ、この穴の断面形状がボックスの外側の溝幅が大きくなるように略凸形状としたことを特徴とする埋め込み水栓用ボックス。
【０００９】
これにより、ネジ斜めねじ込み時の間柱等の盛り上がり部を長穴断面でかわすことができ、結果としてネジを強くねじ込むことなく、ボックス側面又は上面を間柱等に隙間なく設置することができ、ボックスの変形を防止しながら、壁面に対して開口面を平行に設置することが出来る。
【００１０】
本発明の請求項３においては、前記穴は、ボックスの奥行き方向に延びて形成されている長穴であることを特徴とする請求項２に記載の埋め込み水栓用ボックス。
【００１１】
これにより、ネジのねじ込み位置を奥行き方向で調整することができる。そのため、間柱等の木の節などのねじ込み難い箇所を避けて、確実にボックスを所定の位置にねじ込みすることができる。また、ボックスを壁面の開口に合わせて位置出しを行いやすい。
【００１２】
【発明の実施の形態】
以下に図面を参照して本発明をより具体的に説明する。
図１は、本発明の一実施の形態である壁埋め込み水栓の外観を示す斜視図である。図２は図１の断面図である。
本発明の壁埋め込み水栓１は壁Ｗに埋め込まれた形態で設置されており、正面には吐水口４と吐水口４からの流量を制御するハンドル２がカバー３から突出した状態で設置されている。壁Ｗの内側にはボックス７と水栓本体５が設置されており、給水口６から供給された水はバルブ９と逆止弁１０を経由して吐水口４に導かれる。
【００１３】
吐水口４には全自動洗濯機等に使用されている継手（図示せず）が接続され、接続により緊急止水弁１１がリフトし、水を全自動洗濯機等に供給できるようになっている。
バルブ９のスピンドル１２はハンドル２とシリンダー１３を連結しており、ハンドル２の回転がスピンドル１２を介してシリンダー１３に伝達されるようになっている。シリンダー１３にはシリンダー開口部１４が設けられており、このシリンダー開口部１４がバルブ開口部１５とラップした時に水が流れるようになっている。
【００１４】
尚、シリンダー１３とバルブ挿入部外筒１７の間にはパッキン１６が設けられており、シリンダー開口部１４がバルブ開口部１５とラップしていない時はこのパッキン１６によって上流への水の流れをシールしている。合わせて、バルブ外部へのシール手段としてはＯリング１８、１９がそれぞれ設けられている。
【００１５】
では、具体的な施工手順の一例について、図３乃至図１４に基づき説明しつつ、構造詳細の説明を行う。
図３に示すように、まず壁裏の間柱１００の適当な高さに当木１０１を設置する。この時当木１０１は水平度に注意して設置する。
次に図４、図５に示すように、ボックス側面２１を間柱１００に、ボックス上面２２を当木１０１にそれぞれ添わせ、ネジ２０を長穴２３に通して間柱１００と当木１０１にねじ込み、ボックス７を固定する。
【００１６】
この時、図２と図６に示すように、ネジ２０を間柱１００と当木１０１に対して斜めにねじ込むことによって、ねじ込み部近傍の木が盛り上がってしまう。しかし、長穴２３のネジ２０が通過する断面は間柱１００や当木１０１に対してボックス７の外側の溝幅が大きくなるように略凸形状となっているので、木の盛り上がり部をかわしてボックス側面２１やボックス上面２２を間柱１００や当木１０１に確実に当接でき、結果としてボックス７の水平・垂直を維持しながら容易に固定することができる。
【００１７】
詳しくは図６に示すように、ネジ２０のネジ部の直径よりも僅かに大きい幅Ａの断面と、幅Ａよりも２倍程度大きい幅Ｂの断面を両方備えた略凸形状を長穴２３は有している。幅Ａはネジ２０のネジ部の径より若干寸法が大きいだけのため、幅Ａだけではネジ２おのねじ込み部の近傍に生じる盛り上がり部をかわすことができない。そのため、ボックス７の水平・垂直を出すのが難しくなり、逆に無理矢理に水平・垂直を出そうとするとボックスの変形等が懸念されるが、幅Ｂの断面のおかげでそのような不具合は解消される。
【００１８】
つまり、このボックス７は、少なくとも側面、上面、背面から構成されている。また、側面や上面は、長穴２３を設けられ、間柱等に固定できれば部分的に形成されていてもよく、背面は、図示するように水栓本体５を固定することできれば部分的に形成されていてもよい。
そして、側面または上面のうち、少なくとも一つの面に、ネジ２０のネジ部が通る長穴２３を形成しているのである。
さらに、この長穴２３の断面形状がボックス７の外側の溝幅が大きくなるように略凸形状としている。なお、長穴２３は、丸穴としてもよいが奥行き方向の位置調整がしやすいようにボックス７の奥行き方向に延びて形成することが好ましい。
また、ボックス７の内側の溝幅Ｂからさらに広がりをもった傾斜面もしくは段部を設けることで、ネジ７の頭部が傾斜面内に嵌り込み、さらに安定して固定することができる。
【００１９】
次に図７に示すように、ボックス７の下方にさや管１０２を敷設し、壁工事前の作業が終了となる。
更に図８に示すように、壁Ｗを貼った後、さや管１０２の上流側（ヘッダー側）から架橋ポリエチレン管等の樹脂管１０３を通管し、ボックス７内に引出す。そして図９に示すように、樹脂管１０３の先端に樹脂管継手１０４を接続し、更に図１０に示すように、水栓本体５と樹脂管継手１０４を接続し、ボックス７内に水栓本体５を収納した後、図１１に示すように、ビス２４を使ってボックス７に水栓本体５を固定する。
【００２０】
次に図１２に示すように、壁厚み調整用のスペーサー８を挟んだ状態でカバー３をボックス７にスナップフィットで装着する。尚、スペーサー８は壁厚みが実施例よりも厚い場合には、外した状態でカバー３をボックスに装着することになる。
そして図１３に示すように、カバー３を押さえる目的のナット２５を水栓本体５に設けられたネジ部２７にねじ込むことでカバー３を本固定する。更に吐水口４には全自動洗濯機等に使用されている継手のフックが掛かる鍔２６を装着する。
【００２１】
この時、ボックス７の水平・垂直が確実に出ていないと、ナット２５の装着がカバー３に対して斜めになり、うまくねじ込めない。又、吐水口４も斜めになりカバー３装着時に干渉したり、品位上問題となってしまう。従って、ボックス７を水平・垂直に固定しやすくするために、前述のように長穴２３の断面を略凸形状にしておくことが重要となる。
最後に図１４に示すように、ハンドル２をスピンドル１２に装着し、ビス２８で固定した後、インデックス２９をハンドル２に装着して施工完了となる。
【００２２】
なお、ここで示したネジ２０は、長穴２３を介してボックス７が固定できればよく特に限定されるものではないが、特にタッピンネジとすることが好ましい。
【００２３】
【発明の効果】
以上により、ネジ斜めねじ込み時の間柱等の盛り上がり部を長穴断面でかわすことができ、結果としてネジを強くねじ込むことなく、ボックス側面又は上面を間柱等に隙間なく設置することができ、ボックスの変形を防止しながら、壁面に対して開口面を平行に設置することが出来る。
【図面の簡単な説明】
【図１】本件発明の一実施の形態である壁埋め込み水栓の外観を示す斜視図である。
【図２】図１の断面図である。
【図３】本件発明の施工手順を示す斜視図である。
【図４】本件発明の施工手順を示す斜視図である。
【図５】本件発明の施工手順を示す斜視図である。
【図６】本件発明の施工手順を示す斜視図である。
【図７】本件発明の施工手順を示す斜視図である。
【図８】本件発明の施工手順を示す斜視図である。
【図９】本件発明の施工手順を示す斜視図である。
【図１０】本件発明の施工手順を示す斜視図である。
【図１１】本件発明の施工手順を示す斜視図である。
【図１２】本件発明の施工手順を示す斜視図である。
【図１３】本件発明の施工手順を示す斜視図である。
【図１４】本件発明の施工手順を示す斜視図である。
【図１５】従来技術を示す分解斜視図である。
【図１６】従来技術の問題点を示す要部断面図である。
【符号の説明】
Ｗ　壁
１　壁埋め込み水栓
２　ハンドル
３　カバー
４　吐水口
５　水栓本体
６　給水口
７　ボックス
８　スペーサー
９　バルブ
１０　逆止弁
１１　緊急止水弁
１２　スピンドル
１３　シリンダー
１４　シリンダー開口部
１５　バルブ開口部
１６　パッキン
１７　バルブ挿入部外筒
１８、１９　Ｏリング
２０　ネジ
２１　ボックス側面
２２　ボックス上面
２３　長穴
２４、２８　ビス
２５　ナット
２６　鍔
２７　ネジ部
２９　インデックス
１００　間柱
１０１　当木
１０２　さや管
１０３　樹脂管
１０４　樹脂管継手
【図１】
2004076309.tif 000003
【図２】
2004076309.tif 000004
【図３】
2004076309.tif 000005
【図４】
2004076309.tif 000006
【図５】
2004076309.tif 000007
【図６】
2004076309.tif 000008
【図７】
2004076309.tif 000009
【図８】
2004076309.tif 000010
【図９】
2004076309.tif 000011
【図１０】
2004076309.tif 000012
【図１１】
2004076309.tif 000013
【図１２】
2004076309.tif 000014
【図１３】
2004076309.tif 000015
【図１４】
2004076309.tif 000016
【図１５】
2004076309.tif 000017
【図１６】
2004076309.tif 000018